(57)【要約】【課題】待機時の騒音を軽減できるＤＶＤレコーダを提供する。【解決手段】主電源がオフされている待機状態でのＥＰＧデータの取得時及び時報データの取得時に、本体内部の空気を外部へ排出するためのファンを回転させるファン用モータ、及びＤＶＤを回転させるＤＶＤ用モータを停止のまま維持する。【選択図】図２
2007265486.tif 000002
【特許請求の範囲】
【請求項１】
テレビ放送を受信し、受信した前記テレビ放送に付加された動画像データをＤＶＤに対して記録・再生するＤＶＤレコーダであって、
予め定められた時刻に所定時間駆動し、受信した前記テレビ放送からＥＰＧデータを取得するＥＰＧ取得手段と、
予め定められた時刻に所定時間駆動し、受信した前記テレビ放送から時報データを取得する時報取得手段と、
本体内部の空気を外部へ排出するためのファンを回転させるファン用モータと、
前記ＤＶＤを回転させるＤＶＤ用モータと、を備えるＤＶＤレコーダであって、
主電源がオフされている待機状態のときの、前記ＥＰＧ取得手段による前記ＥＰＧデータの取得時、及び前記時報取得手段による前記時報データの取得時に、前記ファン用モータ及び前記ＤＶＤ用モータを停止のまま維持することを特徴とするＤＶＤレコーダ。
【請求項２】
テレビ放送を受信し、受信した前記テレビ放送に付加された動画像データをＤＶＤに対して記録・再生するＤＶＤレコーダであって、
予め定められた時刻に所定時間駆動し、受信した前記テレビ放送からＥＰＧデータを取得するＥＰＧ取得手段と、
本体内部の空気を外部へ排出するためのファンを回転させるファン用モータと、
前記ＤＶＤを回転させるＤＶＤ用モータと、を備えていて、
主電源がオフされている待機状態のときの前記ＥＰＧ取得手段による前記ＥＰＧデータの取得時に、前記ファン用モータ及び前記ＤＶＤ用モータの少なくとも一方を停止のまま維持することを特徴とするＤＶＤレコーダ。
【請求項３】
テレビ放送を受信し、受信した前記テレビ放送に付加された動画像データをＤＶＤに対して記録・再生するＤＶＤレコーダであって、
予め定められた時刻に所定時間駆動し、受信した前記テレビ放送から時報データを取得する時報取得手段と、
本体内部の空気を外部へ排出するためのファンを回転させるファン用モータと、
前記ＤＶＤを回転させるＤＶＤ用モータと、を備えていて、
主電源がオフされている待機状態のときの前記時報取得手段による前記時報データの取得時に、前記ファン用モータ及び前記ＤＶＤ用モータの少なくとも一方を停止のまま維持することを特徴とするＤＶＤレコーダ。
【発明の詳細な説明】
【技術分野】
【０００１】
本発明は、ＤＶＤ（Digital Versatile Disk）レコーダに関する。
【背景技術】
【０００２】
一般に、ＤＶＤレコーダは、アナログ放送やデジタル放送等のテレビ放送を受信し、予約録画や録画操作に従って、その放送電波に付加された放送番組を記録媒体であるＤＶＤに動画像データ（音声データも含む）として記録し、後に、その動画像データを再生操作に従ってモニタ装置に送出して番組を表示（再生）させる。
【０００３】
一方近年では、テレビ放送の電波に文字信号を重畳させ、放送する番組のジャンルや放送時間等に関するＥＰＧ（電子番組表；Electronic Program Guide）を送受信する技術が普及している（例えば、特許文献１〜３参照）。このＥＰＧは、ＤＶＤレコーダによって取れ出され、テレビ画面に番組表として表示されることにより、録画設定や視聴の際に、視聴者の好みに合った番組の検索をテレビ画面を見ながら行える点で有用される。
【０００４】
例えば、図４は、ＥＰＧをテレビ画面に表示させるためのＧガイドシステム１００のシステム構成の概要を示す模式図である。Ｇガイドシステム１００では、送信側において、放送事業者により作成された番組案内情報が所定のファイル形式に変換され、圧縮、暗号化の後、テレビ放送電波のＶＢＩ（垂直帰線消去時間；Vertical Blanking Interval）に文字信号として挿入、編成され、送出装置より送信される。一方、受信側においては、送信された放送電波がＤＶＤレコーダにより受信されて、そのＶＢＩから文字信号がＥＰＧデータとして抽出され、このＥＰＧデータは一旦メモリ等に格納される。視聴者からＥＰＧ表示の入力操作がされると、格納されたＥＰＧデータは、復号化、伸長されて、上記した所定のファイルが取り出され、テレビ画面に番組表として表示される。
【０００５】
ここで、アナログ放送のＥＰＧ、例えば上記したＧガイドシステム１００でのＥＰＧに関しては、区分された地域ごとにホスト放送局が定められており、そのホスト放送局からの放送電波のＶＢＩを用いて、その地域内の各放送局に割り当てられたチャンネルに対応するＥＰＧのデータがまとめて送信される。また、一日のうちで、ホスト放送局から送信されるＥＰＧの放送時刻は、例えば関西地域では、６：０５（午前６時５分）、１１：０５（午前１１時５分）、１４：３５（午後２時３５分）、１７：３５（午後５時３５分）、２５：４５（午前１時４５分）といったように、予め定められており、各ＥＰＧ放送時刻になると、複数のパケットデータより構成される同じＥＰＧデータが３回、ほぼ連続して放送電波のＶＢＩに重畳されて繰り返し送信される。
【０００６】
ＤＶＤレコーダは、ＥＰＧの放送時刻に合わせて内部電源がオンされて駆動し、３回のＥＰＧデータを一回ごとに、順次、受信、抽出して取得して、そのパケットデータのＣＲＣ（巡回冗長検査；Cyclic Redundancy Check）を行い、パケットデータの取得にエラーが無ければ、都度、そのパケットデータより構成されるＥＰＧデータを新たなＥＰＧデータとして更新して格納する。その後、内部電源がオフされてＥＰＧデータの取得に伴う駆動を停止し、ＥＰＧデータの取得処理が終了する。このようなＥＰＧ取得動作は、ＤＶＤレコーダの主電源がオフされた待機時になされる。
【０００７】
また、従来一般のＤＶＤレコーダは、内蔵時計に生じた誤差を自動で補正するいわゆるジャストクロック機能を有する。このジャストクロック調整は、特定の放送局から７：００（午前７時）、１２：００（正午）、１９：００（午後７時）といった予め定められた時刻に送信される時報の放送を利用するものである。ＤＶＤレコーダは、時報の放送時刻に合わせて内部電源がオンされて駆動し、特定の放送局からの放送電波を受信してその放送電波から時報データとなる音声データを取得し、内蔵時計を補正する。その後、内部電源がオフされて時報データの取得に伴う駆動を停止し、時報データの取得処理が終了する。このような時報取得動作も、ＤＶＤレコーダの主電源がオフされた待機時になされる。
【０００８】
ところで、このようなＤＶＤレコーダでは、ＤＶＤに対して記録・再生を行ったり、ＤＶＤの装着有無を検知したりするために、ＤＶＤを回転させる必要がある。ＤＶＤはＤＶＤ用モータの駆動によって回転する。
【０００９】
また、このようなＤＶＤレコーダには、本体内部で発生した熱を外部へ排出するためにファンが設けられている。このファンは、ファン用モータの駆動によって回転し、ＤＶＤレコーダ本体内部の空気を外部へ排出する。
【００１０】
通常、ＤＶＤレコーダの主電源又は内部電源がオンされると、ＤＶＤ装着有無の検知のために、ＤＶＤ用モータが駆動され、ＤＶＤが回転するようになっている。同様に、ＤＶＤレコーダの主電源又は内部電源がオンされると、ファン用モータが駆動され、ファンが回転するようになっている。
【特許文献１】特開２００５−１９１８１５号公報
【特許文献２】特開２００５−３３５６７号公報
【特許文献３】特開２００１−１８６４２６号公報
【発明の開示】
【発明が解決しようとする課題】
【００１１】
ここで、ＤＶＤやファンが回転すると、その回転に起因して多少なりとも騒音が発生する。この騒音は、主電源がオンされたときに起こる場合は、視聴者がＤＶＤレコーダによる再生等を意図しているため、さほど気にはならない。しかし、主電源がオフされた状態で内部電源がオンされたときに起こる場合、すなわち待機時でのＥＰＧ取得動作や時報取得動作のときに起こる場合は、視聴者がそもそもＤＶＤレコーダを使用する意図がないため、不快に感じることが多い。
【００１２】
そこで本発明は、上記の問題に鑑みてなされたものであり、待機時の騒音を軽減できるＤＶＤレコーダを提供することを目的とするものである。
【課題を解決するための手段】
【００１３】
上記目的を達成するため、本発明は、テレビ放送を受信し、受信した前記テレビ放送に付加された動画像データをＤＶＤに対して記録・再生するＤＶＤレコーダであって、予め定められた時刻に所定時間駆動し、受信した前記テレビ放送からＥＰＧデータを取得するＥＰＧ取得手段と、予め定められた時刻に所定時間駆動し、受信した前記テレビ放送から時報データを取得する時報取得手段と、本体内部の空気を外部へ排出するためのファンを回転させるファン用モータと、前記ＤＶＤを回転させるＤＶＤ用モータと、を備えるＤＶＤレコーダであって、次の点を特徴とする。主電源がオフされている待機状態のときの、前記ＥＰＧ取得手段による前記ＥＰＧデータの取得時、及び前記時報取得手段による前記時報データの取得時に、前記ファン用モータ及び前記ＤＶＤ用モータを停止のまま維持するようになっている。
【００１４】
このような構成にすると、待機状態でのＥＰＧデータ及び時報データの取得時に、ＤＶＤ、ファンは回転していない状態のままにおかれるため、そのＤＶＤ、ファンの回転に起因する騒音が軽減される。
【００１５】
また、上記目的を達成するための本発明によるＤＶＤレコーダは、テレビ放送を受信し、受信した前記テレビ放送に付加された動画像データをＤＶＤに対して記録・再生するＤＶＤレコーダであって、予め定められた時刻に所定時間駆動し、受信した前記テレビ放送からＥＰＧデータを取得するＥＰＧ取得手段と、本体内部の空気を外部へ排出するためのファンを回転させるファン用モータと、前記ＤＶＤを回転させるＤＶＤ用モータと、を備えていて、主電源がオフされている待機状態のときの前記ＥＰＧ取得手段による前記ＥＰＧデータの取得時に、前記ファン用モータ及び前記ＤＶＤ用モータの少なくとも一方を停止のまま維持するようになっている。
【００１６】
このような構成にすると、待機状態でのＥＰＧデータの取得時に、ＤＶＤ、ファンは回転していない状態のままにおかれるため、そのＤＶＤ、ファンの回転に起因する騒音が軽減される。
【００１７】
また、上記目的を達成するための本発明によるＤＶＤレコーダは、テレビ放送を受信し、受信した前記テレビ放送に付加された動画像データをＤＶＤに対して記録・再生するＤＶＤレコーダであって、予め定められた時刻に所定時間駆動し、受信した前記テレビ放送から時報データを取得する時報取得手段と、本体内部の空気を外部へ排出するためのファンを回転させるファン用モータと、前記ＤＶＤを回転させるＤＶＤ用モータと、を備えていて、主電源がオフされている待機状態のときの前記時報取得手段による前記時報データの取得時に、前記ファン用モータ及び前記ＤＶＤ用モータの少なくとも一方を停止のまま維持するようになっている。
【００１８】
このような構成にすると、待機状態での時報データの取得時に、ＤＶＤ、ファンは回転していない状態のままにおかれるため、そのＤＶＤ、ファンの回転に起因する騒音が軽減される。
【発明の効果】
【００１９】
本発明のＤＶＤレコーダによれば、待機時の騒音を軽減できる。
【発明を実施するための最良の形態】
【００２０】
以下に、本発明のＤＶＤレコーダの一実施形態について、図面を参照しながら詳述する。図１は本発明の一実施形態であるＤＶＤレコーダの概略構成を示すブロック図、図２はそのＤＶＤレコーダにおけるＥＰＧ取得時の動作を示すフローチャート、図３はそのＤＶＤレコーダにおける時報取得時の動作を示すフローチャートである。
【００２１】
図１に示すように、本実施形態でのＤＶＤレコーダ１は、アナログ放送やデジタル放送等のテレビ放送を受信し、予約録画や録画操作に従って、その放送電波に付加された放送番組をＤＶＤ１３に動画像データとして書き込んで記録するとともに、再生操作に従って、ＤＶＤ１３に記録されている動画像データを読み出し、その動画像データに基づく番組をモニタ装置３０に表示させて視聴させるものである。また、ＥＰＧ機能、ジャストクロック機能を有する。
【００２２】
このＤＶＤレコーダ１は、大きくは、システム制御回路２と、ＯＳＤ（On Screen Display）画像生成回路４と、操作部５と、受光部６と、時計７と、表示部８と、チューナ９と、ＭＰＥＧ（Moving Picture Experts Group）エンコーダ１０と、バッファメモリ１１と、ＤＶＤドライブ１２と、ＭＰＥＧデコーダ１６と、出力部１７と、ＥＰＧ処理回路１８と、ファン１９とを備える。システム制御回路２はメモリ３を含む。ＤＶＤドライブ１２は、外部から着脱可能なＤＶＤ１３と、装着されたＤＶＤ１３を回転させるＤＶＤ用モータ１４と、回転するＤＶＤ１３に対してデータを読み書きする情報記録ヘッド（光ヘッド）１５とを含む。ファン１９は、これを回転させるファン用モータ２０を含む。チューナ９には、アンテナ２５が接続される。出力部１７には、テレビや表示専用モニタ等のモニタ装置３０に接続される。
【００２３】
システム制御回路２は、信号の入出力を行ないながら、ＤＶＤレコーダ１全体の動作を制御する。この動作には、受信された動画像データ（音声データも含む）の記録、記録されたデータの読み出し、ＥＰＧデータの取得、時報データの取得等が含まれる。この制御は、例えばメモリ３に予め記憶されたプログラムに基づいて行なわれる。また、メモリ３には、ＥＰＧデータや時報データの取得に関する時刻情報やチャンネル情報が登録されている。また、メモリ３には、取得したＥＰＧデータが記録される。
【００２４】
システム制御回路２は、使用者の指示を検出すると、モニタ装置３０に所定の画面を表示させるための信号を生成する。この画面には、周期録画や予約録画の設定のための画面、記録された動画像データに基づく動画像が再生される画面、各動画像のインデックス画像やタイトルが一覧表示される画面等が含まれる。
【００２５】
ＯＳＤ画像生成回路４は、操作部５からの指示、又は受光部６を介して取得したリモコン端末からの指示に基づいて、或いはシステム制御回路２において予め定められた条件に基づいて、メッセージ画像を表示するための信号を生成する。このメッセージ画像とは、チャネル表示、録画設定画面表示、インデックス一覧表示、タイトル一覧表示、音量表示等の画像であって、ＤＶＤドライブ１２からの動画像とは異なる画像である。ＯＳＤ画像生成回路４は、このようなメッセージ画像の信号を生成すると、出力部１７に出力する。この信号が出力されると、その信号が表すメッセージ画像がモニタ装置３０に表示される。
【００２６】
操作部５は、使用者が入力した指示を検出する。操作部５は、例えばＤＶＤレコーダ１の前面のパネルに設けられた入力ボタンであるが、これに限られない。入力ボタンとしては、主電源キー、再生キー、停止キー、巻戻しキー、早送りキー、録画キー等が含まれる。指示が検出されると、その指示に対応する処理を実行させるための信号が生成される。この信号は、システム制御回路２に出力される。
【００２７】
受光部６は、リモコン端末から発せられたリモコン信号を受信する。この信号は、システム制御回路２に出力される。リモコン端末には、入力ボタンとして、主電源キー、再生キー、停止キー、巻戻しキー、早送りキー、録画キー等を含む。
【００２８】
時計７は、ＤＶＤレコーダ１における時間を計測する。時計７は、外部から供給される電源に基づいて作動するが、一時的な停電があっても、予め設定された時間は作動し続けることができる。時計７は、時刻データをシステム制御回路２に出力する。また、システム制御回路２からの制御信号が入力される。時計７の時刻は、システム制御回路２から信号に基づいて受信・取得した放送電波からの時報データより、誤差が補正される。
【００２９】
表示部８は、ＤＶＤレコーダ１に関する情報を表示する。この情報には、時間、受信チャネル、カウンタ、録画／再生モードその他の項目が含まれる。この表示部８は、例えばＤＶＤレコーダ１の前面に設けられたＬＣＤ（Liquid Crystal Display）やＬＥＤ（Light Emitting Diode）であるが、これに限られない。
【００３０】
チューナ９は、アナログ放送、デジタル放送等により送信される番組の動画像データをアンテナ２５を介して受信する。チューナ９により受信されたデータ信号は、ＭＰＥＧエンコーダ１０に出力される。また、チューナ９は、システム制御回路２からの信号に基づいて受信チャネルを切り換えることができる。
【００３１】
ＭＰＥＧエンコーダ１０は、チューナ９から入力されたアナログ信号をＭＰＥＧ符号化されたデジタル信号に変換して、システム制御回路２に出力する。
【００３２】
ＤＶＤドライブ１２では、システム制御回路２からの信号に基づいてＤＶＤ用モータ１４が駆動され、これによりＤＶＤ１３が回転する。ＭＰＥＧ符号化されたデータは情報記録ヘッド１５によりＤＶＤ１３に書き込まれ、ＤＶＤ１３に記憶されたデータは情報記録ヘッド１５により読み出される。また、ＤＶＤ用モータ１４を駆動させることでＤＶＤ１３の装着有無が検知される。
【００３３】
バッファメモリ１１は、システム制御回路２からの信号に基づいて、放送番組の録画の際は、ＤＶＤレコーダ１により受信された動画像データを一時的に記録し、一時的に記録されたデータは、順次ＤＶＤドライブ１２へ送出される。
【００３４】
ＭＰＥＧデコーダ１６は、ＤＶＤドライブ１２から読み出された、ＭＰＥＧ符号化されたデータを復号化して出力部１７に出力する。
【００３５】
出力部１７は、ＯＳＤ画像生成回路４からの信号、及びＭＰＥＧデコーダ１６からの信号をモニタ装置３０に出力する。これにより、モニタ装置３０には、ＯＳＤ画像生成回路４により生成された画像メッセージと、ＤＶＤドライブ１２から読み出された動画像とが表示される。
【００３６】
ＥＰＧ処理回路１８は、システム制御回路２から信号に基づいて、チューナ９で受信した放送電波からＥＰＧデータを抽出し、そのパケットデータのＣＲＣを行う。パケットデータの取得にエラーが無ければ、そのパケットデータより構成されるＥＰＧデータをメモリ３に送出する。メモリ３では、ＥＰＧ処理回路１８から送出されたＥＰＧデータが新たなＥＰＧデータとして更新して記録される。
【００３７】
ファン１９は、システム制御回路２からの信号に基づいてファン用モータ２０が駆動され、これにより回転する。ここでのファン１９は、回転することにより、ＤＶＤレコーダ１本体内部の空気を外部へ強制的に排出する。つまり、ＤＶＤレコーダ１本体内部で発生した熱を外部へ排出する役割を果たす。
【００３８】
続いて、ＤＶＤレコーダ１におけるＥＰＧデータの取得時の動作について、図２を参照しながら説明する。主電源がオフされた待機時において、システム制御回路２及び時計７により時間が監視されている。この状態では内部電源はオフされており、ＤＶＤ用モータ１４、ファン用モータ２０は共に駆動が停止している。ここでの時間監視は、ＥＰＧデータの放送時刻に対しての時間監視である。
【００３９】
ステップ＃５でＥＰＧデータの放送時刻が到来すると、ステップ＃１０に進んで、システム制御回路２からの指令により内部電源がオンされる。なお、ここでの内部電源がオンされる時期は、時計７の誤差や安定した駆動に至る時間等を考慮して、厳密にはＥＰＧデータの放送時刻に至る５分程度前である。
【００４０】
その内部電源のオンに伴って、ＥＰＧデータの取得に関与するチューナ９、ＭＰＥＧエンコーダ１０、ＥＰＧ処理回路１８等が駆動され、ステップ＃１５で、ＥＰＧデータの取得が開始される。但し、ここでは、ＤＶＤ用モータ１４、ファン用モータ２０は共に駆動されずに停止のまま維持され、その結果、ＤＶＤ１３、ファン１９は回転していない状態のままにおかれる。
【００４１】
続くステップ＃２０で、ＥＰＧデータの取得が完了したか否かが判定される。この判定は、実際には、ＥＰＧデータの取得に要する駆動開始からの経過時間に基づき、例えば３０分経過したか否かで判定される。
【００４２】
ステップ＃２０でＥＰＧデータの取得が完了した場合、ステップ＃２５に進んで、システム制御回路２からの指令により内部電源がオフされる。これにより、ＥＰＧデータの取得に関与するチューナ９、ＭＰＥＧエンコーダ１０、ＥＰＧ処理回路１８等の駆動が停止され、待機状態に戻る。
【００４３】
一方、ステップ＃２０でＥＰＧデータの取得が完了していない場合は、ステップ＃３０に進んで、視聴者から主電源キーのオンの入力操作があった否かが判定される。主電源オンの入力がない場合は、上記のステップ＃２０に戻ってＥＰＧデータの取得が継続される。これとは逆に、主電源オンの入力があった場合は、その入力が優先される。つまり、ステップ＃３５に進んで、ＥＰＧデータの取得を中止して、視聴者からの更なる入力操作を待つ。このとき、ＤＶＤ用モータ１４、ファン用モータ２０は共に駆動され、その結果、ＤＶＤ１３、ファン１９は回転した状態におかれる。これで、ＥＰＧデータの取得動作を終える。
【００４４】
このようなＤＶＤレコーダ１によれば、待機状態でのＥＰＧデータの取得時に、ＤＶＤ１３、ファン１９は回転していない状態のままにおかれるため、そのＤＶＤ１３、ファン１９の回転に起因する騒音が軽減される。
【００４５】
次に、ＤＶＤレコーダ１における時報データの取得時の動作について、図３を参照しながら説明する。主電源がオフされた待機時において、システム制御回路２及び時計７により時間が監視されている。この状態では内部電源はオフされており、ＤＶＤ用モータ１４、ファン用モータ２０は共に駆動が停止している。ここでの時間監視は、時報データの放送時刻に対しての時間監視である。
【００４６】
ステップ＃１０５で時報データの放送時刻が到来すると、ステップ＃１１０に進んで、システム制御回路２からの指令により内部電源がオンされる。なお、ここでの内部電源がオンされる時期は、時計７の誤差や安定した駆動に至る時間等を考慮して、厳密には時報データの放送時刻に至る５分程度前である。
【００４７】
その内部電源のオンに伴って、時報データの取得に関与するチューナ９、ＭＰＥＧエンコーダ１０等が駆動され、ステップ＃１１５で、時報データの取得が開始される。但し、ここでは、ＤＶＤ用モータ１４、ファン用モータ２０は共に駆動されずに停止のまま維持され、その結果、ＤＶＤ１３、ファン１９は回転していない状態のままにおかれる。
【００４８】
続くステップ＃１２０で、時報データの取得が完了したか否かが判定される。この判定は、実際には、時報データの取得に要する駆動開始からの経過時間に基づき、例えば５分経過したか否かで判定される。
【００４９】
ステップ＃１２０で時報データの取得が完了した場合、ステップ＃１２５に進んで、システム制御回路２からの指令により内部電源がオフされる。これにより、時報データの取得に関与するチューナ９、ＭＰＥＧエンコーダ１０等の駆動が停止され、待機状態に戻る。
【００５０】
一方、ステップ＃１２０で時報データの取得が完了していない場合は、ステップ＃１３０に進んで、視聴者から主電源キーのオンの入力操作があった否かが判定される。主電源オンの入力がない場合は、上記のステップ＃１２０に戻って時報データの取得が継続される。これとは逆に、主電源オンの入力があった場合は、その入力が優先される。つまり、ステップ＃１３５に進んで、時報データの取得を中止して、視聴者からの更なる入力操作を待つ。このとき、ＤＶＤ用モータ１４、ファン用モータ２０は共に駆動され、その結果、ＤＶＤ１３、ファン１９は回転した状態におかれる。これで、時報データの取得動作を終える。
【００５１】
このようなＤＶＤレコーダ１によれば、待機状態での時報データの取得時に、ＤＶＤ１３、ファン１９は回転していない状態のままにおかれるため、そのＤＶＤ１３、ファン１９の回転に起因する騒音が軽減される。
【００５２】
その他本発明は上記の実施形態に限定されず、本発明の趣旨を逸脱しない範囲で、種々の変更が可能である。例えば、上記の実施形態では、待機状態でのＥＰＧデータの取得、時報データの取得の際に、ＤＶＤ用モータ１４、ファン用モータ２０は、両方とも駆動されずに停止のまま維持されるようにしているが、いずれか一方は駆動され、他方が駆動されずに停止のまま維持されるようにしても構わない。停止のまま維持されるモータ側のＤＶＤ１３又はファン１９の回転に起因する騒音の低減が期待できるからである。
【００５３】
また、ここでのＤＶＤレコーダには、更にＨＤＤ（Hard Disk Drive）等を搭載した複合機も含まれる。
【産業上の利用可能性】
【００５４】
本発明は、ＤＶＤレコーダに有用である。
【図面の簡単な説明】
【００５５】
【図１】本発明の一実施形態であるＤＶＤレコーダの概略構成を示すブロック図である。
【図２】本発明の一実施形態であるＤＶＤレコーダにおけるＥＰＧ取得時の動作を示すフローチャート図である。
【図３】本発明の一実施形態であるＤＶＤレコーダにおける時報取得時の動作を示すフローチャートである。
【図４】一般的なＧガイドシステムのシステム構成の概要を示す模式図である。
【符号の説明】
【００５６】
１    ＤＶＤレコーダ
２    システム制御回路
３    メモリ
４    ＯＳＤ画像生成回４
５    操作部
６    受光部
７    時計
８    表示部
９    チューナ
１０    ＭＰＥＧエンコーダ
１１    バッファメモリ
１２    ＤＶＤドライブ
１３    ＤＶＤ
１４    ＤＶＤ用モータ
１５    情報記録ヘッド
１６    ＭＰＥＧデコーダ
１７    出力部
１８    ＥＰＧ処理回路
１９    ファン
２０    ファン用モータ
２５    アンテナ
３０    モニタ装置
【図１】
2007265486.tif 000003
【図２】
2007265486.tif 000004
【図３】
2007265486.tif 000005
【図４】
2007265486.tif 000006